(57)【要約】【課題】電動送風部の駆動に伴う振動を効果的に吸収できる電気掃除機を提供する。【解決手段】第１板ばね群44の各第１板ばね43によって電動送風機41をモータカバー42に対して弾性的に支持する。電動送風部11を、第１板ばね群44と周方向にずれて配置した第２板ばね群46の各第２板ばね45によって本体ケース５に対して弾性的に支持する。電動送風機41の駆動に伴う振動を、各板ばね群44，46の各板ばね43，45によって効果的に吸収できる。【選択図】図１
2009207554.tif 000002
【特許請求の範囲】
【請求項１】
電動送風機およびこの電動送風機の少なくとも一部を覆うカバー体を備えた電動送風部と、
この電動送風部を収容する収容室を区画する本体ケースと、
前記電動送風機の外周の少なくとも一部に沿ってそれぞれ形成され、この電動送風機を互いに対向する位置で前記カバー体に対して支持する対をなす第１弾性部材を備えた第１弾性部材群と、
前記カバー体の外周の少なくとも一部に沿ってそれぞれ形成され、前記電動送風部を互いに対向する位置で前記本体ケースに対して支持する対をなす第２弾性部材を備えた第２弾性部材群とを具備し、
前記第１弾性部材群と前記第２弾性部材群とは、前記電動送風部の周方向に対して互いにずれて配置されている
ことを特徴とした電気掃除機。
【請求項２】
第１弾性部材群は、電動送風機の重心に対応する位置に配置され、
第２弾性部材群は、電動送風部の重心に対応する位置に配置されている
ことを特徴とした請求項１記載の電気掃除機。
【請求項３】
電動送風部は、収容室に略水平に配置され、
第１弾性部材は、電動送風機の両側部を挟持するように配置され、
第２弾性部材は、前記電動送風部の上下を挟持するように配置されている
ことを特徴とした請求項１または２記載の電気掃除機。
【発明の詳細な説明】
【技術分野】
【０００１】
本発明は、電動送風機を本体ケースに弾性的に支持する電気掃除機に関する。
【背景技術】
【０００２】
従来、この種の電気掃除機は、ファンである遠心ファンとこの遠心ファンを回転させる電動機とを前後に有する電動送風機を、本体ケースの内部に区画された収容室である送風室に収容した掃除機本体を備えている。そして、電動送風機は、本体ケースに対して、その振動を伝えにくくするために、互いに対向配置した一対の板ばねによって電動機側の外周面が上側と下側とから挟持されるように保持され、本体ケースに対して弾性的に支持されている（例えば、特許文献１参照。）。
【特許文献１】特開平４−１９３１４３号公報（第３頁、第１図および第２図）
【発明の開示】
【発明が解決しようとする課題】
【０００３】
しかしながら、上述の電気掃除機では、電動送風機の駆動に伴う振動を支持する板ばねが、それぞれ本体ケースに直接接続されているため、振動の吸収が充分でないという問題点を有している。
【０００４】
本発明は、このような点に鑑みなされたもので、電動送風部の駆動に伴う振動を効果的に吸収できる電気掃除機を提供することを目的とする。
【課題を解決するための手段】
【０００５】
本発明は、電動送風機の外周の少なくとも一部に沿ってそれぞれ形成され、この電動送風機を互いに対向する位置でカバー体に対して支持する対をなす第１弾性部材を備えた第１弾性部材群と、カバー体の外周の少なくとも一部に沿ってそれぞれ形成され、電動送風部を互いに対向する位置で本体ケースに対して支持する対をなす第２弾性部材を備えた第２弾性部材群とが、電動送風部の周方向に対して互いにずれて配置されているものである。
【発明の効果】
【０００６】
本発明によれば、第１弾性部材群の各第１弾性部材によって電動送風機をカバー体に対して弾性的に支持するとともに、電動送風部を、第１弾性部材群と周方向にずれて配置した第２弾性部材群の各第２弾性部材によって本体ケースに対して弾性的に支持することで、電動送風部の駆動に伴う振動を、第１弾性部材群の第１弾性部材と第２弾性部材群の第２弾性部材とによって効果的に吸収できる。
【発明を実施するための最良の形態】
【０００７】
以下、本発明の一実施の形態の電気掃除機の構成を図１ないし図３を参照して説明する。
【０００８】
図１ないし図３において、１は掃除機本体であり、この掃除機本体１は被掃除面としての床面を走行可能な、いわゆるキャニスタ型の電気掃除機である。
【０００９】
そして、この掃除機本体１は、上側が開放されたケースである下ケース２と、この下ケース２の後部上側に対向配置されこの後部上側を覆うケースである上ケース３と、下ケース２の前部上側を開閉可能な蓋体４とを有する本体ケース５を備えている。この本体ケース５には、下ケース２と上ケース３との間に収容室としての送風室６が区画されているとともに、下ケース２と蓋体４との間に集塵室が区画され、これら送風室６と集塵室との間には、これらを区画する隔壁部８が設けられている。
【００１０】
送風室６には、下ケース２と上ケース３とが図示しないシールパッキンを介して螺子などにより気密に組み付けられることで区画された空間部であり、略円筒状の電動送風部11が、軸方向が前後方向に沿う状態となるように略水平に収容されている。また、この送風室６は、上ケース３の後部に穿設された排気孔12を介して本体ケース５の外部と連通している。さらに、この送風室６の側方には、電動送風部11へと外部からの電源を供給可能な電源コード13を巻回したコードリールが収容されるコードリール室が区画されている。
【００１１】
ここで、コードリール室は、下ケース２の後部に開口形成されたコード導出口から電源コード13を導出可能となっている。
【００１２】
一方、集塵室には、例えば紙パック、あるいはサイクロン集塵装置などの集塵部が着脱可能となっている。また、この集塵室の前部には、本体吸込口21が下ケース２に穿設されている。そして、この本体吸込口21には、ホース体22が着脱可能に設けられ、このホース体22の先端部に、手元操作部23が設けられている。また、この手元操作部23には、作業者が把持する把持部25が突設されているとともに、この把持部25に、作業者により電動送風部11の動作モードなどを設定する設定ボタン26が複数設けられている。さらに、手元操作部23の先端部には、延長管28と吸込口体としての床ブラシ29とが順次連通接続される。
【００１３】
隔壁部８には、送風室６側である後部に位置する後部隔壁31と、集塵室側である前部に位置する図示しない前部隔壁と、この前部隔壁に連続して送風室６とコードリール室とを区画する側部隔壁33とを備え、前部隔壁の後部に、掃除機本体１内の図示しない各種機構を動作させる駆動部が取り付けられている。
【００１４】
後部隔壁31には、丸孔状の後部連通孔37が穿設され、また、前部隔壁には、丸孔状の前部連通孔が穿設され、これら後部連通孔37と前部連通孔とが、図示しないダクトによって気密に接続されている。
【００１５】
後部連通孔37の後部には、電動送風部11が気密に接続されている。また、前部連通孔の前部である集塵室側には、図示しないフィルタが配置されている。
【００１６】
側部隔壁33には、送風室６とコードリール室とを連通する図示しない連通口が形成されている。
【００１７】
そして、後部隔壁31、前部隔壁および側部隔壁33の上部には、上ケース３との間で挟持されて送風室６、集塵室およびコードリール室を気密に区画するためのシール部材である図示しないパッキンが取り付けられている。
【００１８】
電動送風部11は、図１および図２に示すように、重量物であるファンモータすなわち電動送風機41と、この電動送風機41の少なくとも一部を覆って保持する比較的軽量のカバー体としての保持部材である略円筒状のモータカバー42と、電動送風機41をモータカバー42に対して弾性的に支持して電動送風機41の回転振動を減衰する一対の第１弾性部材である第１板ばね43，43を有する第１支持ユニットすなわち第１弾性部材群である第１板ばね群44とを備え、一対の第２弾性部材である第２板ばね45，45を有する第２支持ユニットすなわち第２弾性部材群である第２板ばね群46により本体ケース５に対して弾性的に支持されている。
【００１９】
電動送風機41は、ケース体としての有底円筒状のモータフレーム47と、このモータフレーム47の開口側である前側に嵌着されモータフレーム47より大径の略円筒状のファンカバー48とを有し、モータカバー42と軸方向を合わせてこのモータカバー42内に保持されている。そして、この電動送風機41のモータフレーム47の周囲には、第１板ばね群44の第１板ばね43，43を保持する送風機側第１板ばね受け部としての送風機側リブ51，51が形成され、これら送風機側リブ51，51間に、第１板ばね43，43が保持されて、電動送風機41がモータカバー42側に対して弾性支持されている。
【００２０】
モータフレーム47内には、駆動源である電動部としての電動機55が収容されている。この電動機55は、回転軸56が、ファンカバー48により覆われた動翼すなわちファンである遠心ファン57と接続され、この遠心ファン57を回転させるように構成されている。
【００２１】
また、モータフレーム47の後側寄りの周面には、複数の四角形状の排気口61が周方向に互いに略等間隔に離間されて穿設されているとともに、これら排気口61の間の位置に穿設された図示しない取付孔に、電動機55の整流子に電気的に接続される図示しないブラシ機構部がそれぞれ取り付けられる。
【００２２】
また、ファンカバー48の中心部には、吸気口66が穿設されている。
【００２３】
そして、電動送風機41は、電動機55により回転された遠心ファン57により、吸気口66から空気を吸い込み、この吸い込んだ空気をモータフレーム47の内部から排気口61を介してモータフレーム47の外部へと排気することにより、ダクト、集塵室、ホース体22(図３)、延長管28(図３)および床ブラシ29(図３)などへと負圧を作用させることが可能となっている。
【００２４】
送風機側リブ51，51は、電動送風機41の重心Ｇに対応する位置の前後にてそれぞれモータフレーム47の外周からモータフレーム47の径方向へと全周に亘って突出し、互いに電動送風機41の軸方向に離間されている。なお、電動送風機41の重心は、電動送風機41とモータカバー42との重量差を考慮すると、電動送風部11の重心と略一致しているため、以下、重心Ｇとは電動送風機41および電動送風部11の重心をいうものとする。また、重心Ｇに対応する位置とは、以下、重心Ｇを含み電動送風部11(電動送風機41)の軸方向に直交する平面と交差する位置、あるいは、その交差位置に対して電動送風部11(電動送風機41)の軸方向前後近傍の位置をいうものとする。
【００２５】
一方、モータカバー42は、略円筒状の第１モータカバーとしての前部モータカバー75と、この前部モータカバー75の後部に接続される略円筒状の第２モータカバーとしての後部モータカバー76とを有している。すなわち、モータカバー42は、電動送風部11の軸方向(スラスト方向)に組み立ておよび分解可能に形成されている。そして、モータカバー42は、内部に電動送風機41を同軸状に収容している。
【００２６】
前部モータカバー75は、例えば合成樹脂などにより形成され、前側の蓋部となる略円板状の前板81と、この前板81の外周縁部から後方へと延出する前部周壁82とを備え、前板81の略中央部に、本体ケース５の後部連通孔37と電動送風機41の吸気口66とを連通する連通開口である丸孔状の前部連通開口83が開口形成されている。したがって、前部モータカバー75は、後端が開口されている。さらに、この前部モータカバー75の内周には、第１板ばね43，43を保持するカバー側第１板ばね受け部としてのカバー側内周リブ84，84が形成されている。そして、この前部モータカバー75の外周には、第２板ばね45，45を保持するカバー側第２板ばね受け部としてのカバー側外周リブ85，85が形成されている。
【００２７】
前部連通開口83には、本体ケース５の集塵室に連通する後部連通孔37と電動送風部11の負圧側である電動送風機41の吸気口66とを気密に接続するシール部材としてのパッキンである略円筒状のシールリング88が、後部隔壁31との間となる前部に取り付けられている。このシールリング88は、例えばゴムあるいはエラストマなどの弾性を有する部材により略円筒状に形成されており、電動送風部11の軸方向への振動により軸方向に弾性変形することで、この振動を、隔壁部８を介して本体ケース５へと伝達しないように減衰させる振動減衰部となっている。
【００２８】
なお、シールリング88は、電動送風部11を停止させた状態で、若干前方に付勢されるように、すなわち前部が隔壁部８の後部隔壁31の後面に若干圧接されるように取り付けられている。
【００２９】
カバー側内周リブ84，84は、電動送風機41の重心Ｇに対応する位置の前後にてそれぞれ前部モータカバー75の内周から中心軸方向へと全周に亘って突出し、互いに電動送風機41の軸方向に離間されている。
【００３０】
同様に、カバー側外周リブ85，85は、電動送風機41の重心Ｇに対応する位置の前後にてそれぞれ前部モータカバー75の外周から径方向へと全周に亘って突出し、互いに電動送風機41の軸方向に離間されている。なお、本実施の形態において、カバー側外周リブ85，85はカバー側内周リブ84，84と略等しい間隔で形成しているが、それぞれ第１板ばね43，43と第２板ばね45，45との幅寸法に対応して形成すれば、略等しい間隔とする必要はない。
【００３１】
一方、後部モータカバー76は、例えば合成樹脂などにより形成され、後側の蓋部となる略円板状の後板91と、この後板91の外周縁部から前方へと延出する後部周壁92と、この後部周壁92の外周縁部から径方向へと延出するフランジ部93とを備え、このフランジ部93が前部モータカバー75の前部周壁82の後端に、例えば螺子止めなどにより接続されている。
【００３２】
後板91の後部には、緩衝部材であるクッション部材としてのモータクッション95が取り付けられている。このモータクッション95は、下ケース２の後部に対して所定の間隙を介して対向しており、振動によって電動送風部11が後方に移動した際などに下ケース２に当接して可撓変形することで、この当接時の衝撃を吸収して下ケース２側、あるいは電動送風部11側に伝えにくくするものである。
【００３３】
後部周壁92には、電動送風機41を通過した排気風をモータカバー42の外部へと排気する後部連通開口97が下部に開口形成されている。
【００３４】
フランジ部93には、図示しないが、複数箇所に螺子止め用の螺子穴が設けられ、これら螺子穴に図示しない螺子を螺子止めすることにより、前部モータカバー75と後部モータカバー76とが互いに固定されるように構成されている。
【００３５】
そして、第１板ばね群44をなす各第１板ばね43は、円弧状に湾曲された第１湾曲部43aと、この第１湾曲部43aの両端に連続する第１連続部43b，43bとを備え、所定の金属部材を適宜湾曲加工することで形成されている。
【００３６】
第１湾曲部43aは、電動送風機41の外周であるモータフレーム47の外周の一部に沿う形状に形成されている。
【００３７】
各第１連続部43bは、第１湾曲部43aの端部から、この第１湾曲部43aの突出側と同側にモータカバー42の内周面に沿って湾曲状に突出している。
【００３８】
そして、各第１湾曲部43aは、送風機側リブ51，51間に保持され、各第１連続部43bは、カバー側内周リブ84，84間に保持されて、各第１板ばね43の前後方向への移動が規制されている。したがって、各第１板ばね43を有する第１板ばね群44は、電動送風機41の重心Ｇに対応する位置に取り付けられ、電動送風機41をモータカバー42に対して弾性的に支持している。換言すれば、第１板ばね群44は、重心Ｇを含み電動送風部11(電動送風機41)の軸方向に直交する平面と少なくとも一部が交差する位置に配置されている。
【００３９】
また、第２板ばね群46をなす各第２板ばね45は、円弧状に湾曲された第２湾曲部45aと、この第２湾曲部45aの両端に連続する第２連続部45b，45bと、これら第２連続部45b，45bにそれぞれ連続する支持部45c，45cとを備え、所定の金属部材を適宜湾曲加工することで形成されている。
【００４０】
第２湾曲部45aは、電動送風部11の外周であるモータカバー42(前部モータカバー75)の外周の一部に沿う形状に形成されている。
【００４１】
各第２連続部45bは、第２湾曲部45aの端部から、この第２湾曲部45aの突出側と同側に略直線状に突出している。
【００４２】
各支持部45cは、各第２連続部45bに対して第２湾曲部45a側へと直線状に屈曲形成されており、各第２連続部45bに対して略直交する方向へと延びている。
【００４３】
そして、各第２湾曲部45aは、カバー側外周リブ85，85間に保持され、各第２連続部45bおよび各支持部45cは、送風室６の内側面に沿って形成された本体側リブ99，99間に保持されて、各第２板ばね45の前後方向への移動が規制されている。したがって、各第２板ばね45を有する第２板ばね群46は、電動送風部11の重心Ｇに対応する位置に取り付けられ、電動送風部11を本体ケース５に対して弾性的に支持している。換言すれば、第２板ばね群46は、重心Ｇを含み電動送風部11(電動送風機41)の軸方向に直交する平面と少なくとも一部が交差する位置に配置されている。
【００４４】
そして、第１板ばね43，43は、例えば電動送風機41を軸方向から見て左右両側部から第１湾曲部43aによって挟持するように配置され、第２板ばね45，45は、例えば電動送風部11を上下から第２湾曲部45aによって挟持するように配置されている。換言すれば、第１板ばね群44と第２板ばね群46とは、電動送風部11(電動送風機41)の周方向に互いにずれて、例えば所定角度、本実施の形態では９０°異なる角度で配置されている。このため、各板ばね43，45は、略等間隔で電動送風部11の周方向に対して互いに９０°ずつずれて交互に配置されている。
【００４５】
なお、各部の角度などを規定する数値は、その数値のみでなく、その数値の前後の数値を含むものとする。
【００４６】
次に、上記一実施の形態の電気掃除機の製造方法を説明する。
【００４７】
まず、予め第１板ばね43，43の各第１湾曲部43aを送風機側リブ51，51間に保持した電動送風機41を、各第１板ばね43の各第１連続部43bをカバー側内周リブ84，84間に保持するように前部モータカバー75に組み付けた後、後部モータカバー76を前部モータカバー75に取り付けて電動送風機41をモータカバー42により覆って電動送風部11とする。
【００４８】
次いで、各第２板ばね45の第２湾曲部45aをカバー側外周リブ85，85間に保持した電動送風部11を、各第２板ばね45の各第２連続部45bおよび支持部45cを本体側リブ99，99間の一部に保持するように送風室６に組み付け、電動送風部11側と本体ケース５側との配線を接続する。
【００４９】
この状態で、各部品を組み込み蓋体４と連結した上ケース３を上側から下ケース２の上部へと被せて、上ケース３と下ケース２とを螺子などによって組み付けることにより、掃除機本体１が完成する。
【００５０】
次に、上記一実施の形態の作用を説明する。
【００５１】
掃除の際には、まず、本体吸込口21にホース体22、延長管28および床ブラシ29を順次連通接続するとともに、本体ケース５の蓋体４を開けて紙パックを集塵室に装着し、蓋体４を閉じる。
【００５２】
この掃除を開始する前の状態では、電動送風部11は、第２板ばね群46の各第２板ばね45の付勢力のつりあいにより、軸方向(前後方向)に所定のスタート位置となっている。
【００５３】
そして、本体ケース５から電源コード13を引き出して壁面などのコンセントに接続し、作業者が把持部25を把持して所定の設定ボタン26を操作すると、電動送風部11の電動送風機41が駆動する。
【００５４】
この電動送風機41の駆動やこの駆動によって発生した負圧などにより、電動送風部11の内部では、電動送風機41の回転方向に交差する径方向(中心軸方向)に振動が発生しようとする。
【００５５】
このとき、電動送風機41の重心Ｇの方向(重心Ｇ側)に付勢されている各第１板ばね43が互いに適宜変形して電動送風機41を調芯することにより、電動送風機41の駆動に伴う径方向(中心軸方向)の振動が第１板ばね群44によって吸収される。
【００５６】
なお、電動送風部11内において、電動送風機41の前後方向への振動は、第１板ばね43の幅方向の剛性によって規制され、殆ど発生することがない。
【００５７】
また、電動送風機41の駆動やこの駆動によって発生した負圧などにより、電動送風部11では、径方向(中心軸方向)に振動が発生しようとする。
【００５８】
このとき、電動送風部11の重心Ｇの方向(重心Ｇ側)に付勢されている各第２板ばね45が互いに適宜変形して電動送風部11を調芯することにより、電動送風機41の駆動に伴う電動送風部11の径方向(中心軸方向)の振動が第２板ばね群46によって吸収される。
【００５９】
また、電動送風部11の前後方向への振動は、第２板ばね45の幅方向の剛性によって規制され、殆ど発生することがない。
【００６０】
そして、電動送風機41の駆動による負圧により、床ブラシ29、延長管28、ホース体22、本体吸込口21、紙パックと作用する風路が形成され、空気とともに塵埃が吸い込まれる。
【００６１】
吸い込まれた空気は吸気風となり、この吸気風に含まれる塵埃は、紙パックを空気が通過する際に紙パックに捕集される。なお、紙パック内に収容された塵埃は、通過する吸気風により圧縮される。
【００６２】
さらに、紙パックを通過した吸気風は、フィルタ、前部連通孔、ダクトおよび後部連通孔37を通過し、電動送風機41の吸気口66を介して電動送風機41のファンカバー48内へと流入し、遠心ファン57の中心部から吸い込まれて周方向に排気され、モータフレーム47内を通過し、各排気口61から排気風として電動送風機41の外部へと排気される。
【００６３】
これら排気風は、モータカバー42の後部連通開口97を介して下方へと排気された後、電動送風部11の周囲から一部が上方へと流れ、本体ケース５の排気孔12から本体ケース５の外部へと排気されるとともに、残りが隔壁部８の連通口からコードリール室に流入してコードリール(電源コード13)を冷却しつつ、コード導出口を介して本体ケース５の外部へと排気される。
【００６４】
掃除が終了すると、作業者は設定ボタン26を操作して電動送風機41を停止させ、電気掃除機の運転を停止する。
【００６５】
このとき、電動送風部11は、第２板ばね群46の調芯作用によって所定のスタート位置に復帰する。
【００６６】
紙パックに所定量以上の塵埃が溜まった場合には、蓋体４を開けて紙パックを集塵室から取り外して塵埃とともに廃棄し、新たな紙パックを集塵室に装着する。
【００６７】
上述したように、上記一実施の形態では、第１板ばね群44の各第１板ばね43によって電動送風機41をモータカバー42に対して弾性的に支持するとともに、電動送風部11を、第１板ばね群44と周方向にずれて配置した第２板ばね群46の各第２板ばね45によって本体ケース５に対して弾性的に支持する構成とした。
【００６８】
このため、各第１板ばね43の変形により、電動送風機41の駆動に伴う上下左右方向の振動をモータカバー42に対して吸収し、かつ、このモータカバー42に残留した振動を各第２板ばね45の変形により吸収するとともに、板ばね43，45の一方によって振動を吸収しにくい位置を他方によってカバーできるなど、電動送風機41の駆動に伴う振動を、各板ばね群44，46によって効果的に吸収でき、本体ケース５への振動絶縁を図ることができる。
【００６９】
しかも、板ばね43，45は、電動送風機41(電動送風部11)の軸方向に対して幅方向を有し、この幅方向には剛性を有するため、電動送風機41あるいは電動送風部11の前後方向への振動を、板ばね43，45自身の剛性によって抑制できる。
【００７０】
また、第１板ばね群44の各第１板ばね43を、電動送風機41の重心Ｇに対応する位置に配置し、第２板ばね群46の各第２板ばね45を、電動送風部11の重心Ｇに対応する位置に配置することで、電動送風機41の駆動により重心Ｇよりも前側あるいは後側で上下方向に発生する振動を最小限とすることができ、振動をモータカバー42および本体ケース５に、より伝えにくくできる。
【００７１】
さらに、電動送風部11を送風室６に略水平に配置するとともに、第１板ばね43，43により電動送風機41を軸方向から見て左右両側部から挟持し、第２板ばね45，45により電動送風部11を上下から挟持することにより、電動送風部11を送風室６に組み込む際に、第２板ばねが左右両側部に位置する場合と比較して、下側に位置する第２板ばね45によって電動送風部11を支持しやすくなり、電動送風部11の組付性が向上する。
【００７２】
そして、上記のように各振動を本体ケース５に伝えないように構成することで、電気掃除機の運転時の電動送風部11の振動に起因する音の発生を防止でき、特に振動が反響しやすい木床などでの掃除の際でも、動作音が静かになり、比較的振動が大きい電動送風機41でも採用することが可能となり、品質が安定する。
【００７３】
なお、上記一実施の形態において、各板ばね群44，46は、電動送風部11の周方向に互いに９０°異なる角度とすれば、任意の配置とすることができる。例えば、第１板ばね群44の第１板ばね43を、電動送風機41を上下から挟持するように配置し、第２板ばね群46の第２板ばね45を、電動送風部11を左右両側部から挟持するように配置したりしてもよい。
【００７４】
また、各板ばね43，45は、例えば第１連続部43bあるいは支持部45cに長孔などを形成し、この長孔を介してモータカバー42、あるいは本体ケース５などにねじなどによって取り付けてもよい。
【００７５】
さらに、電気掃除機の細部は、上記構成に限定されるものではなく、例えばアップライト型やハンディ型の電気掃除機などにも対応して用いることができる。
【図面の簡単な説明】
【００７６】
【図１】本発明の一実施の形態の電気掃除機を示す縦断面図である。
【図２】同上電気掃除機を後方から示す横断面図である。
【図３】同上電気掃除機を示す斜視図である。
【符号の説明】
【００７７】
５    本体ケース
６    収容室としての送風室
11    電動送風部
41    電動送風機
42    カバー体としてのモータカバー
43    第１弾性部材である第１板ばね
44    第１弾性部材群である第１板ばね群
45    第２弾性部材である第２板ばね
46    第２弾性部材群である第２板ばね群
【図１】
2009207554.tif 000003
【図２】
2009207554.tif 000004
【図３】
2009207554.tif 000005